(57)【要約】  フレキシブルディスプレイ装置、及びそれを利用したユーザ・インターフェース表示方法に係り、該フレキシブルディスプレイ装置は、外部に露出される画面の領域を判断する露出領域判断部と、露出された画面の領域に対応するユーザ・インターフェースを生成するユーザ・インターフェース生成部と、生成されたユーザ・インターフェースを、露出された画面に表示するディスプレイ部と、を含む。v
2015504554.tif 000002
【特許請求の範囲】
【請求項１】
フレキシブルディスプレイ装置の外部に露出される画面の領域を判断する露出領域判断部と、
前記露出された画面の領域に対応するユーザ・インターフェースを生成するユーザ・インターフェース生成部と、
前記生成されたユーザ・インターフェースを、前記露出された画面にディスプレイするディスプレイ部と、を含むフレキシブルディスプレイ装置。
【請求項２】
前記ユーザ・インターフェース生成部は、前記露出された画面領域の大きさに基づいて、前記ユーザ・インターフェースを生成することを特徴とする請求項１に記載のフレキシブルディスプレイ装置。
【請求項３】
前記ユーザ・インターフェース生成部は、前記露出された画面領域の大きさによって、前記ユーザ・インターフェースに含まれた客体の種類及び個数のうち少なくとも一つを変更することを特徴とする請求項２に記載のフレキシブルディスプレイ装置。
【請求項４】
前記客体は、前記ユーザ・インターフェースに含まれたイメージ、テキスト、フォント、アイコン及びコンテンツリストのうち少なくとも一つを含むことを特徴とする請求項３に記載のフレキシブルディスプレイ装置。
【請求項５】
前記ユーザ・インターフェース生成部は、前記露出された画面領域の大きさによって、前記ユーザ・インターフェースに、画面制御のためのツールを追加することを特徴とする請求項２に記載のフレキシブルディスプレイ装置。
【請求項６】
前記ユーザ・インターフェース生成部は、前記露出された画面領域の大きさによって、段階的に、前記ユーザ・インターフェースを生成することを特徴とする請求項２に記載のフレキシブルディスプレイ装置。
【請求項７】
前記ディスプレイ部は、前記露出された画面領域の大きさに基づいて、前記生成されたユーザ・インターフェースを拡大または縮小することを特徴とする請求項１に記載のフレキシブルディスプレイ装置。
【請求項８】
前記露出領域判断部は、前記露出する画面領域のサイズ変化を連続して感知し、
前記ディスプレイ部は、前記生成されたユーザ・インターフェースを連続して拡大または縮小することを特徴とする請求項７に記載のフレキシブルディスプレイ装置。
【請求項９】
前記ディスプレイ部は、前記露出された画面領域の大きさが、既設定の臨界値以上である場合、前記拡大または縮小されたユーザ・インターフェースと異なるユーザ・インターフェースをディスプレイすることを特徴とする請求項８に記載のフレキシブルディスプレイ装置。
【請求項１０】
前記露出領域判断部は、光センサ及び圧電センサのうち少なくとも一つを利用して、前記露出された画面領域を感知することを特徴とする請求項１に記載のフレキシブルディスプレイ装置。
【請求項１１】
フレキシブルディスプレイ装置を利用したユーザ・インターフェース表示方法において、
フレキシブルディスプレイ装置の外部に露出される画面の領域を判断する段階と、
前記露出された画面の領域の大きさに対応するユーザ・インターフェースを、前記露出された画面にディスプレイする段階と、を含むユーザ・インターフェース表示方法。
【請求項１２】
前記ユーザ・インターフェースは、前記露出された画面領域の大きさによって、前記ユーザ・インターフェースに含まれた客体の種類及び個数のうち少なくとも一つが変更されることを特徴とする請求項１１に記載のユーザ・インターフェース表示方法。
【請求項１３】
前記客体は、前記ユーザ・インターフェースに含まれたイメージ、テキスト、フォント、アイコン及びコンテンツリストのうち少なくとも一つを含むことを特徴とする請求項１２に記載のユーザ・インターフェース表示方法。
【請求項１４】
前記ユーザ・インターフェースは、前記露出された画面領域の大きさによって、画面制御のためのツールが追加されることを特徴とする請求項１１に記載のユーザ・インターフェース表示方法。
【請求項１５】
前記ユーザ・インターフェースは、前記露出された画面領域の大きさによって、段階的に生成される請求項１１に記載のユーザ・インターフェース表示方法。
【請求項１６】
前記ディスプレイする段階は、前記露出された画面領域の大きさに基づいて、前記ユーザ・インターフェースを拡大または縮小して表示することを特徴とする請求項１１に記載のユーザ・インターフェース表示方法。
【請求項１７】
前記露出領域を感知する段階は、前記露出する画面領域のサイズ変化を連続して感知し、
前記ディスプレイする段階は、前記サイズ変化に基づいて、前記ユーザ・インターフェースを連続して拡大または縮小することを特徴とする請求項１６に記載のユーザ・インターフェース表示方法。
【請求項１８】
前記ディスプレイする段階は、前記露出された画面領域の大きさが、既設定の臨界値以上に変化した場合、前記拡大または縮小されたユーザ・インターフェースと異なるユーザ・インターフェースをディスプレイすることを特徴とする請求項１７に記載のユーザ・インターフェース表示方法。
【請求項１９】
前記露出領域を感知する段階は、光センサ及び圧電センサのうち少なくとも一つを利用して、前記露出された画面領域を感知することを特徴とする請求項１１に記載のユーザ・インターフェース表示方法。
【請求項２０】
前記露出された画面の領域の大きさに対応するユーザ・インターフェースをサーバに要請する段階と、
前記サーバから、前記要請されたユーザ・インターフェースを受信する段階と、を含み、
前記ディスプレイする段階は、前記受信されたユーザ・インターフェースを画面に表示することを特徴とする請求項１１に記載のユーザ・インターフェース表示方法。
【請求項２１】
フレキシブルディスプレイ装置の外部に露出される画面の領域を判断する段階と、
前記露出された画面の領域の大きさに対応するユーザ・インターフェースを、前記露出された画面にディスプレイする段階と、を含むフレキシブルディスプレイ装置を利用したユーザ・インターフェース表示方法を、コンピュータで実行させるためのプログラムを記録したコンピュータで読み取り可能な記録媒体。
【発明の詳細な説明】
【技術分野】
【０００１】
本発明は、フレキシブルディスプレイ装置及びそれを利用したユーザ・インターフェース表示方法に係り、さらに詳細には、フレキシブルディスプレイ装置の状態によって異なるユーザ・インターフェースを提供する装置及び方法に関する。
【背景技術】
【０００２】
一般的に、携帯端末は、ＩＴ（information technology）機器のコンバージェンス傾向によって、動画再生、ＤＭＢ（digital multimedia broadcasting）受信、メッセージ送受信などの各種付加機能を搭載する方向に発展している。それにより、携帯端末に、各種のデータを効果的に表示させて制御するために、多種のユーザ・インターフェースが要求されている。
【０００３】
また、ユーザ・インターフェースは、多種の表示画面及び制御手段を含むので、ユーザ・インターフェースの大きさが大きくなってしまい、それにより、画面サイズが変更される場合、効果的にユーザに表示しにくいという問題があった。
【０００４】
一方、先行技術として、特許文献１は、３段ジグザグ型本体を形成する多パネル積層型携帯電話において、携帯電話が閉じた状態では、表示窓領域のうち、上位パネルに結合された領域だけが活性化されて映像を表示する技術が開示されている。
【０００５】
しかし、前述の先行技術は、露出された画面の領域を感知し、露出された画面領域の大きさに基づいて差別化されたユーザ・インターフェースを効果的に提供することができないという問題があった。
【発明の概要】
【発明が解決しようとする課題】
【０００６】
本発明の一実施形態は、フレキシブルディスプレイ装置が、折り曲げられた程度によって、ユーザ・インターフェースを区別して提供することができるフレキシブルディスプレイ装置、及びそれを利用したユーザ・インターフェース表示方法を提供する。
【０００７】
また、本発明の一実施形態は、フレキシブルディスプレイ装置が、折り曲げられた程度によって、ユーザ・インターフェースを段階的に変更することができるフレキシブルディスプレイ装置、及びそれを利用したユーザ・インターフェース表示方法を提供する。
【０００８】
また、本発明の一実施形態は、フレキシブルディスプレイ装置が、折り曲げられた程度によって、連続してユーザ・インターフェースを変更することができるフレキシブルディスプレイ装置、及びそれを利用したユーザ・インターフェース表示方法を提供することができる。
【課題を解決するための手段】
【０００９】
前述の技術的課題を達成するための技術的手段として、本発明の第１側面は、フレキシブルディスプレイ装置の外部に露出される画面の領域を判断する露出領域判断部と、前記露出された画面の領域に対応するユーザ・インターフェースを生成するユーザ・インターフェース（ＵＩ）生成部と、前記生成されたユーザ・インターフェースを、前記露出された画面にディスプレイするディスプレイ部と、を含む、フレキシブルディスプレイ装置を提供することができる。
【００１０】
また、本発明の第２側面は、フレキシブルディスプレイ装置の外部に露出される画面の領域を判断する段階と、前記露出された画面の領域の大きさに対応するユーザ・インターフェースを、前記露出された画面にディスプレイする段階と、を含む、フレキシブルディスプレイ装置を利用したユーザ・インターフェース表示方法を提供することができる。
【００１１】
また、本発明の第３側面は、フレキシブルディスプレイ装置の外部に露出される画面の領域を判断する段階と、前記露出された画面の領域の大きさに対応するユーザ・インターフェースを、前記露出された画面にディスプレイする段階と、を含む、フレキシブルディスプレイ装置を利用したユーザ・インターフェース表示方法をコンピュータで実行させるためのプログラムを記録したコンピュータで読み取り可能な記録媒体を提供することができる。
【発明の効果】
【００１２】
前述の本発明の課題解決手段によれば、フレキシブルディスプレイ装置が、折り曲げられた程度によって、ユーザ・インターフェースを区別して提供することができる。
【００１３】
また、前述の本発明の課題解決手段によれば、フレキシブルディスプレイ装置が、折り曲げられた程度によって、ユーザ・インターフェースを段階的に変更することができる。
【００１４】
また、前述の本発明の課題解決手段によれば、フレキシブルディスプレイ装置が、折り曲げられた程度によって、連続してユーザ・インターフェースを変更することができる。
【図面の簡単な説明】
【００１５】
【図１】本発明の一実施形態によるフレキシブルディスプレイ装置の詳細構成図である。
【図２】本発明の一実施形態によるフレキシブルディスプレイ装置が、露出された画面領域の大きさによって、ユーザ・インターフェースに含まれた客体を変更して表示する一例を図示した図面である。
【図３】本発明の一実施形態によるフレキシブルディスプレイ装置が、露出された画面領域の大きさによって、ユーザ・インターフェースに含まれた客体を変更して表示する他の一例を図示した図面である。
【図４】本発明の一実施形態によるフレキシブルディスプレイ装置が、露出された画面領域の大きさによって、ユーザ・インターフェースに含まれた客体を変更して表示する他の一例を図示した図面である。
【図５】本発明の一実施形態によるフレキシブルディスプレイ装置が、露出された画面領域の大きさによって異なるユーザ・インターフェースを受信して表示する一例を図示した図面である。
【図６】本発明の一実施形態によるフレキシブルディスプレイ装置が、露出された画面領域の大きさによって、ユーザ・インターフェースに画面制御のためのツールを追加して表示する一例を図示した図面である。
【図７】本発明の一実施形態によるフレキシブルディスプレイ装置が、露出された画面領域の大きさによって、段階的にユーザ・インターフェースを表示する一例を図示した図面である。
【図８】本発明の一実施形態によるフレキシブルディスプレイ装置が、露出された画面領域の大きさによって、段階的にユーザ・インターフェースを表示する一例を図示した図面である。
【図９】本発明の一実施形態によるフレキシブルディスプレイ装置が、露出された画面領域の大きさによって、ユーザ・インターフェースで、特定コンテンツを拡大して表示する一例を図示した図面である。
【図１０】本発明の一実施形態によるフレキシブルディスプレイ装置が、露出された画面領域の大きさによって、ユーザ・インターフェースで、特定コンテンツを拡大して表示する一例を図示した図面である。
【図１１】本発明の一実施形態によるフレキシブルディスプレイ装置が、露出された画面領域の大きさが連続して変更される場合、ユーザ・インターフェースを拡大または縮小して表示する一例を図示した図面である。
【図１２】本発明の一実施形態によるフレキシブルディスプレイ装置が露出された画面領域によって、ユーザ・インターフェースを表示する方法の詳細フローチャートである。
【図１３】本発明の一実施形態によるネットワークを介したユーザ・インターフェース提供システムの全体構成図である。
【発明を実施するための形態】
【００１６】
以下、添付図面を参照し、本発明が属する技術分野で当業者が容易に実施することができるように、本発明の実施形態について詳細に説明する。しかし、本発明は、さまざまな異なる形態に具現され、ここで説明する実施形態に限定されるものではない。図面で、本発明について明確に説明するために、説明と関係ない部分は省略し、明細書全体を通じて、類似した部分については、類似した図面符号を付した。
【００１７】
明細書全体で、ある部分が他の部分と「連結」されているとするとき、それは、「直接連結」されている場合だけではなく、その中間に他の素子を挟んで、「電気的に連結」されている場合も含む。また、ある部分がある構成要素を「含む」とするとき、それは、特別に限定する記載がない限り、他の構成要素を除くものではなく、他の構成要素をさらに含んでもよいということを意味する。
【００１８】
また、本明細書で、フレキシブルディスプレイ装置は、反ったり曲がったりするディスプレイ基板を利用して、ユーザ・インターフェースを画面に表示するディスプレイ装置であり、例えば、折り曲がったり（foldable）曲がったり（bendable）巻かれたり（rollable）することができるディスプレイ基板を利用することができる。
【００１９】
また、本明細書で、ディスプレイ基板が折り曲がるということは、ディスプレイ基板の形態の変形を意味し、例えば、ディスプレイ基板が曲がったり巻かれたりすることを含む。
【００２０】
以下、添付された図面を参照し、本発明について詳細に説明する。
図１は、本発明の一実施形態によるフレキシブルディスプレイ装置の詳細構成図である。
【００２１】
図１に図示されているように、本発明の一実施形態によるフレキシブルディスプレイ装置１００は、露出領域判断部１１０、ユーザ・インターフェース（ＵＩ：user interface）生成部１２０、ディスプレイ部１３０、ＤＢ（database）１４０、送受信部１５０及び制御部１６０を含む。
【００２２】
露出領域判断部１１０は、フレキシブルディスプレイ装置１００で露出された画面領域を感知する。露出領域判断部１１０は、フレキシブルディスプレイ装置１００で、ディスプレイ基板（図示せず）が非対称に折り曲がる（unbalanced folding）場合、非対称に折り曲げられたディスプレイ基板（図示せず）で、外部に露出された画面領域を感知することができる。
【００２３】
ここで、ディスプレイ基板（図示せず）が非対称に折り曲げられたということは、ディスプレイ基板が折り曲げられた場合、ディスプレイ基板の境界が互いに一致せず、外部に露出された画面領域が存在する場合をいう。非対称に折り曲げられたディスプレイ基板の例示については、図２ないし図１１で説明する。
【００２４】
ディスプレイ基板（図示せず）のフレームには、例えば、圧電センサ１１０ａまたは光センサ１１０ｂが位置することができ、露出領域判断部１１０は、圧電センサ１１０ａまたは光センサ１１０ｂを利用して、ディスプレイ装置が非対称に折り曲げられたか否かということを判断し、外部に露出された画面領域を感知することができる。
【００２５】
また、フレキシブルディスプレイ装置１００で、ディスプレイ基板（図示せず）の折り曲げられた程度が連続して変化し、その場合、露出領域判断部１１０は、露出された画面領域を連続して感知することができる。
【００２６】
ＵＩ生成部１２０は、露出された画面領域に対応するユーザ・インターフェースを生成する。ＵＩ生成部１２０は、露出された画面領域の大きさに基づいて、露出された画面領域に表示するユーザ・インターフェースを生成することができる。
【００２７】
また、ＵＩ生成部１２０は、露出された画面領域の大きさによって、ユーザ・インターフェースに含まれた客体の種類及び個数のうち、少なくとも一つを変更することができる。ここで、客体は、ユーザ・インターフェースを構成する構成要素であり、例えば、イメージ、テキスト、動画、フォント、アイコン及びコンテンツリストのうち少なくとも一つを含む。
【００２８】
また、ＵＩ生成部１２０は、露出された画面領域の大きさが、既設定の値以下である場合には、ユーザ・インターフェースに含まれた客体の一部を削除し、ユーザ・インターフェースを生成することができる。ＵＩ生成部１２０は、例えば、露出された画面領域の大きさが、全体画面領域の７０％以下である場合、ユーザ・インターフェースに含まれたイメージ、テキスト、アイコン及びコンテンツリストの一部を削除したり、あるいはユーザ・インターフェースに含まれたテキストのフォントを変更することができる。
【００２９】
また、ＵＩ生成部１２０は、露出された画面領域の大きさが、既設定の値以下である場合、ユーザ・インターフェースに含まれた客体の一部を拡大し、ユーザ・インターフェースを生成することができる。ＵＩ生成部１２０は、例えば、ユーザ・インターフェース画面に、複数のサムネイル（thumbnail）イメージが含まれた場合、露出された画面領域の大きさが、全体画面領域の７０％以下に変更されれば、所定のイメージを選択し、拡大して画面に表示することができる。
【００３０】
また、ＵＩ生成部１２０は、露出された画面領域の大きさによって、ユーザ・インターフェースに、画面制御のためのツールを追加することができる。露出された画面領域の大きさが、既設定の値以下である場合、ＵＩ生成部１２０は、例えば、ユーザ・インターフェースに、画面制御のためのスクロールバー、拡大アイコン及び縮小アイコンを表示することができる。
【００３１】
また、ＵＩ生成部１２０は、前記露出された画面領域の大きさによって、段階的に前記ユーザ・インターフェースを生成することができる。ＵＩ生成部１２０は、露出された画面領域の大きさを複数個に分類し、分類された画面領域の大きさによって、それぞれユーザ・インターフェースを生成することができる。
【００３２】
ＵＩ生成部１２０は、例えば、露出された画面領域の大きさが、全体画面領域の７０％〜１００％である場合、あらゆる構成を含む第１ユーザ・インターフェースを生成することができる。また、ＵＩ生成部１２０は、露出された画面領域の大きさが、全体画面領域の４０％〜７０％である場合、第１ユーザ・インターフェースから一部客体が削除された第２ユーザ・インターフェースを生成することができる。また、ＵＩ生成部１２０は、露出された画面領域の大きさが、全体画面領域の２０％〜４０％である場合、第２ユーザ・インターフェースから一部客体が削除された第３ユーザ・インターフェースを生成することができる。
【００３３】
ＵＩ生成部１２０は、露出された画面領域によるユーザ・インターフェースをあらかじめ生成しておくことができ、フレキシブルディスプレイ装置１００の露出された画面領域が変更される場合、あらかじめ生成されたユーザ・インターフェースが画面に表示されもする。
【００３４】
また、前述のところでは、ＵＩ生成部１２０が、露出された画面領域の大きさに対応するユーザ・インターフェースを生成すると説明したが、それに制限されるものではなく、ＵＩ生成部１２０は、露出された画面領域の大きさに対応するユーザ・インターフェースをサーバに要請し、サーバから、露出された画面領域の大きさによって差別化されたユーザ・インターフェースを受信することもできる。
【００３５】
また、露出された画面領域の大きさに対応するユーザ・インターフェースについては、図２ないし図１０で、さらに詳細に説明する。
【００３６】
ディスプレイ部１３０は、露出された画面領域に対応するユーザ・インターフェースを、露出された画面に表示する。また、露出された画面領域の大きさが変化する場合、ディスプレイ部１３０は、露出された画面領域の大きさによって、ユーザ・インターフェースを拡大または縮小することができる。また、ディスプレイ部１３０は、露出された画面領域が、既設定の臨界値以上に変化する場合、拡大または縮小されたユーザ・インターフェースと異なるユーザ・インターフェースをディスプレイすることができる。
【００３７】
例えば、露出された画面領域の大きさが、全体画面領域の７０％〜１００％の範囲内で連続して変化する場合には、ディスプレイ部１３０は、第１ユーザ・インターフェースを拡大または縮小して表示することができ、露出された画面領域の大きさが、全体画面領域の７０％〜１００％の範囲から４０％〜７０％の範囲に連続して変化する場合、ディスプレイ部１３０は、第１ユーザ・インターフェースの代わりに、第２ユーザ・インターフェースを画面に表示することができる。
【００３８】
また、ディスプレイ部１３０は、露出された画面領域が、既設定の範囲以内である場合には、ユーザ・インターフェースを画面に表示しないこともある。例えば、ディスプレイ部１３０は、露出された画面領域が、全体画面領域の０〜２０％である場合には、露出された画面領域が有効ではないと判断し、露出された画面領域に、ユーザ・インターフェースを表示しないこともある。
【００３９】
ＤＢ １４０は、露出された画面領域によって異なるユーザ・インターフェースを表示するために必要な各種情報を保存する。ＤＢ １４０は、露出された画面領域の大きさに対応するユーザ・インターフェースを区別して保存することができる。また、ＤＢ １４０は、露出された画面領域によって、ユーザ・インターフェースに含まれる客体（例えば、イメージ、テキスト、アイコン、フォント及びコンテンツリスト）についての設定値を保存することができる。ユーザ・インターフェースに含まれる客体についての設定値は、ＵＩ生成部１２０のユーザ・インターフェース生成に利用される。
【００４０】
送受信部１５０は、露出された画面領域によって異なるユーザ・インターフェースを表示するために必要な各種情報を、外部のサーバと送受信する。送受信部１５０は、サーバから露出された画面領域に対応するユーザ・インターフェースを要請する信号を送信し、ユーザ・インターフェースを受信することができる。
【００４１】
制御部１６０は、フレキシブルディスプレイ装置１００全体の動作を制御し、フレキシブルディスプレイ装置１００が、露出された画面領域を感知し、感知された画面領域の大きさによって、差別化されたユーザ・インターフェースを提供するように、露出領域判断部１１０、ＵＩ生成部１２０、ディスプレイ部１３０、ＤＢ １４０及び送受信部１５０を制御する。
【００４２】
以下、図２ないし図４を参照し、本発明の一実施形態によるフレキシブルディスプレイ装置１００が、露出された画面領域の大きさによって、ユーザ・インターフェースに含まれた客体を変更して表示する一例について説明する。
【００４３】
図２ないし図４は、本発明の一実施形態によるフレキシブルディスプレイ装置１００が、露出された画面領域の大きさによって、ユーザ・インターフェースに含まれた客体を変更して表示する一例を図示した図面である。
【００４４】
図２を参照すれば、ユーザ・インターフェースは、複数のサムネイル・イメージを含んでもよく、露出された画面領域の大きさによって、ユーザ・インターフェースには、互いに異なる個数のサムネイル・イメージが含まれる。ディスプレイ装置が折り曲がっていない場合、ユーザ・インターフェース２０には、１５個のサムネイル・イメージが表示され、ディスプレイ装置が折り曲げられた場合には、露出された画面領域の大きさによって、ユーザ・インターフェース２２には、６個のサムネイル・イメージが含まれ、ユーザ・インターフェース２４には、３個のサムネイル・イメージが含まれる。その場合、露出された画面領域の大きさによって、ユーザ・インターフェースに含まれるサムネイル・イメージの個数及び配列についての事項があらかじめ設定され、ＤＢ １４０に保存され、ＵＩ生成部１２０は、あらかじめ保存された設定によって、ユーザ・インターフェースを区別して生成することができる。
【００４５】
また、図３を参照すれば、ユーザ・インターフェースは、複数のコンテンツリストを含んでもよく、露出された画面領域の大きさによって、ユーザ・インターフェースには、互いに異なる個数のコンテンツリストが含まれてもよい。ディスプレイ装置が折り曲がっていない場合、ユーザ・インターフェース３０には、７個のコンテンツリストが表示され、ディスプレイ装置が折り曲げられた場合には、露出された画面領域の大きさによって、ユーザ・インターフェース３２には、３個のコンテンツリストが含まれ、ユーザ・インターフェース３４には、２個のコンテンツリストが含まれてもよい。その場合、露出された画面領域の大きさによって、ユーザ・インターフェースに含まれるコンテンツリストの個数及び配列、並びにコンテンツリストに含まれた構成についての事項があらかじめ設定され、ＤＢ １４０に保存され、ＵＩ生成部１２０は、あらかじめ保存された設定によって、ユーザ・インターフェースを区別して生成することができる。
【００４６】
図４を参照すれば、ユーザ・インターフェースは、ユーザイメージ４０、ユーザがアップロードした入力文の種類を示すアイコン４２及び掲示文４４を含んでもよく、露出された画面領域の大きさによって、ユーザ・インターフェースから、ユーザイメージ４０、アイコン４２及び掲示文４４のうち一部が除外される。ディスプレイ装置が折り曲がっていない場合には、ユーザ・インターフェースに、ユーザイメージ４０、アイコン４２及び掲示文４４がいずれも含まれ、ディスプレイ装置が折り曲げられた場合には、ユーザイメージ４０及びアイコン４２を含む要約されたデータが、ユーザ・インターフェースに含まれてもよい。
【００４７】
その場合、露出された画面領域の大きさによって、ユーザ・インターフェースに含まれる客体（例えば、ユーザイメージ、アイコン及び掲示文）の個数及び配列についての事項があらかじめ設定され、ＤＢ １４０に保存され、ＵＩ生成部１２０は、あらかじめ保存された設定によって、ユーザ・インターフェースを区別して生成することができる。
【００４８】
以下、図５を参照し、本発明の一実施形態によるフレキシブルディスプレイ装置１００が、露出された画面領域の大きさによって、異なるユーザ・インターフェースを受信して表示する一例について説明する。
【００４９】
図５は、本発明の一実施形態によるフレキシブルディスプレイ装置１００が、露出された画面領域の大きさによって、異なるユーザ・インターフェースを受信して表示する一例を図示した図面である。
【００５０】
図５を参照すれば、ディスプレイ装置が折り曲がっていない場合、フレキシブルディスプレイ装置１００は、ＰＣ（personal computer）用インターネット・ナビゲータ５０をサーバから受信し、画面に表示することができ、ディスプレイ装置が折り曲げられた場合、フレキシブルディスプレイ装置１００は、モバイル用インターネット・ナビゲータ５２をサーバから受信し、画面に表示することができる。その場合、サーバは、露出された画面領域によるユーザ・インターフェースをあらかじめ生成しておくことができ、フレキシブルディスプレイ装置１００からの要請に応答して生成されたユーザ・インターフェースを提供することができる。
【００５１】
以下、図６を参照し、本発明の一実施形態によるフレキシブルディスプレイ装置１００が、露出された画面領域の大きさによって、ユーザ・インターフェースに、画面制御のためのツールを追加して表示する一例について説明する。
【００５２】
図６は、本発明の一実施形態によるフレキシブルディスプレイ装置１００が、露出された画面領域の大きさによって、ユーザ・インターフェースに、画面制御のためのツールを追加して表示する一例を図示した図面である。
【００５３】
図６を参照すれば、ディスプレイ装置が折り曲げられた場合、フレキシブルディスプレイ装置１００は、ユーザ・インターフェースに、スクロールバー６０、「＋」アイコン６２及び「−」アイコン６４を追加することができる。その場合、ユーザは、ユーザ・インターフェースに含まれたスクロールバー６０を利用して、画面を移動させることができる。また、ユーザは、ユーザ・インターフェースに含まれた「＋」アイコン６２を利用して、縮小された全体画面を表示させ、「−」アイコン６４を利用して、拡大された一部画面を表示させる。その場合、露出された画面領域の大きさによって、ユーザ・インターフェースに含まれる画面制御のためのツールの種類、及びディスプレイされる位置についての事項があらかじめ設定されてＤＢ １４０に保存され、ＵＩ生成部１２０は、あらかじめ保存された設定によって、ユーザ・インターフェースを区別して生成することができる。
【００５４】
次に、図７及び図８を参照し、本発明の一実施形態によるフレキシブルディスプレイ装置１００が、露出された画面領域の大きさによって、段階的にユーザ・インターフェースを表示する一例について説明する。
【００５５】
図７及び図８は、本発明の一実施形態によるフレキシブルディスプレイ装置１００が、露出された画面領域の大きさによって、段階的にユーザ・インターフェースを表示する一例を図示した図面である。
【００５６】
図７を参照すれば、音楽再生のためのユーザ・インターフェースは、アルバムリスト・イメージ７０、アルバムジャケット・イメージ７２、題目７４及び制御イメージ７６を含んでもよく、ディスプレイ装置が折り曲がっていない場合、ユーザ・インターフェースには、アルバムリスト・イメージ７０、アルバムジャケット・イメージ７２、題目７４及び制御イメージ７６がいずれも表示される。また、ディスプレイ装置が折り曲げられ、露出された画面領域の大きさが、第１臨界値より小さく、第２臨界値より大きい場合には、ユーザ・インターフェースに、アルバムジャケット・イメージ７２、題目７４及び制御イメージ７６が表示される。また、ディスプレイ装置が折り曲げられ、露出された画面領域の大きさが、第２臨界値より小さい場合には、ユーザ・インターフェースに、制御イメージ７６だけが表示される。また、露出された画面領域の大きさが、第１臨界値より小さく、第２臨界値より大きい範囲内で連続して変わる場合には、アルバムジャケット・イメージ７２、題目７４及び制御イメージ７６が表示されたユーザ・インターフェースが拡大または縮小される。
【００５７】
また、図８を参照すれば、日程管理のためのユーザ・インターフェースは、露出された画面領域によって、異なる日程リストを含んでもよい。ディスプレイ装置が折り曲がっていない場合、ユーザ・インターフェースには、月単位の日程リスト８０が表示されもする。また、ディスプレイ装置が折り曲げられ、露出された画面領域の大きさが第１臨界値より小さく、第２臨界値より大きい場合には、ユーザ・インターフェースに、週単位の日程リスト８２が表示される。また、ディスプレイ装置が折り曲げられ、露出された画面領域の大きさが第２臨界値より小さい場合には、ユーザ・インターフェースに、日単位の日程リスト８４が表示される。
【００５８】
また、露出された画面領域の大きさが、第１臨界値より小さく、第２臨界値より大きい範囲内で、連続して変わる場合には、週単位の日程リスト８２が表示されたユーザ・インターフェースが拡大または縮小されもする。
【００５９】
以下、図９及び図１０を参照し、本発明の一実施形態によるフレキシブルディスプレイ装置１００が、露出された画面領域の大きさによって、ユーザ・インターフェースで、特定コンテンツを拡大して表示する一例について説明する。
【００６０】
図９及び図１０は、本発明の一実施形態によるフレキシブルディスプレイ装置１００が、露出された画面領域の大きさによって、ユーザ・インターフェースで、特定コンテンツを拡大して表示する一例を図示した図面である。
【００６１】
図９を参照すれば、ディスプレイ装置が折り曲がっていない場合、ユーザ・インターフェースには、複数のサムネイル・イメージ９０が表示される。また、ディスプレイ装置が折り曲げられた場合には、ユーザ・インターフェースに、１つの拡大されたイメージ９）が表示される。
【００６２】
また、図１０を参照すれば、ディスプレイ装置が折り曲がっていない場合、ユーザ・インターフェースには、複数の要約された掲示文９４が表示される。また、ディスプレイ装置が折り曲げられた場合には、ユーザ・インターフェースに、１つの詳細な掲示文９６が表示される。
【００６３】
以下、図１１を参照し、本発明の一実施形態によるフレキシブルディスプレイ装置１００が、露出された画面領域の大きさが連続して変更される場合、ユーザ・インターフェースを拡大または縮小して表示する一例について説明する。
【００６４】
図１１は、本発明の一実施形態によるフレキシブルディスプレイ装置１００が露出された画面領域の大きさが、連続して変更される場合、ユーザ・インターフェースを拡大または縮小して表示する一例を図示した図面である。
【００６５】
図１１を参照すれば、フレキシブルディスプレイ装置１００の露出された画面領域は、連続して変化し、フレキシブルディスプレイ装置１００は、露出された画面領域の大きさを連続して感知し、露出された画面領域の大きさに合わせて、ユーザ・インターフェース１０，１２及び１４を拡大または縮小することができる。
【００６６】
以下、図１２を参照し、本発明の一実施形態によるフレキシブルディスプレイ装置１００が、露出された画面領域によって、ユーザ・インターフェースを表示する方法について説明する。
【００６７】
図１２は、本発明の一実施形態によるフレキシブルディスプレイ装置１００が、露出された画面領域によって、ユーザ・インターフェースを表示する方法の詳細フローチャートである。
【００６８】
段階Ｓ１２００では、フレキシブルディスプレイ装置１００の折り曲がりを感知する段階である。段階Ｓ１２００で、フレキシブルディスプレイ装置１００は、圧電センサ１１０ａまたは光センサ１１０ｂを利用して、ディスプレイ画面が折り曲げられたか否かということを判断することができる。
【００６９】
段階Ｓ１２０２では、フレキシブルディスプレイ装置１００が非対称に折り曲げられたか否かということを判断する段階である。ここで、フレキシブルディスプレイ装置１００が、非対称に折り曲げられたということは、折り曲げられたディスプレイ基板の境界が互いに一致せず、外部に露出された画面領域が存在する場合をいう。段階Ｓ１２０２での判断結果、フレキシブルディスプレイ装置１００が非対称に折り曲げられた場合には、段階Ｓ１２０４で、フレキシブルディスプレイ装置１００の露出領域サイズを判断する。
【００７０】
段階Ｓ１２０６は、露出領域の大きさに対応するユーザ・インターフェースをディスプレイする段階である。
【００７１】
段階Ｓ１２０６では、フレキシブルディスプレイ装置１００は、前記露出された画面領域の大きさによって、ユーザ・インターフェースに含まれた客体の種類及び個数のうち少なくとも一つを変更して表示することができる。ここで、客体は、ユーザ・インターフェースを構成する構成要素であり、例えば、イメージ、テキスト、フォント、アイコン及びコンテンツリストのうち少なくとも一つを含む。
【００７２】
また、段階Ｓ１２０６で、フレキシブルディスプレイ装置１００は、露出された画面領域の大きさが既設定の値以下である場合には、ユーザ・インターフェースに含まれた客体の一部を削除し、ユーザ・インターフェースを表示することができる。フレキシブルディスプレイ装置１００は、例えば、露出された画面領域の大きさが、全体画面領域の７０％以下である場合、ユーザ・インターフェースに含まれたイメージ、テキスト、アイコン及びコンテンツリストの一部を削除したり、あるいはユーザ・インターフェースに含まれたテキストのフォントを変更することができる。
【００７３】
また、段階Ｓ１２０６で、フレキシブルディスプレイ装置１００は、露出された画面領域の大きさが、既設定の値以下である場合、ユーザ・インターフェースに含まれた客体の一部を拡大し、ユーザ・インターフェースを生成することができる。フレキシブルディスプレイ装置１００は、例えば、ユーザ・インターフェース画面に、複数のサムネイル・イメージが含まれた場合、露出された画面領域の大きさが、全体画面領域の７０％以下に変更されれば、所定のイメージを選択し、拡大して画面に表示することができる。
【００７４】
また、段階Ｓ１２０６で、フレキシブルディスプレイ装置１００は、露出された画面領域の大きさによって、ユーザ・インターフェースに画面制御のためのツールを追加することができる。露出された画面領域の大きさが、既設定の値以下である場合、フレキシブルディスプレイ装置１００は、例えば、ユーザ・インターフェースに、画面制御のためのスクロールバー、拡大アイコン及び縮小アイコンを表示することができる。
【００７５】
また、段階Ｓ１２０６で、フレキシブルディスプレイ装置１００は、露出された画面領域の大きさによって、段階的に、前記ユーザ・インターフェースを表示することができる。ＵＩ生成部１２０は、露出された画面領域の大きさを複数個に分類し、分類された画面領域の大きさによって、それぞれ異なるユーザ・インターフェースを表示することができる。
【００７６】
フレキシブルディスプレイ装置１００は、例えば、露出された画面領域の大きさが、全体画面領域の７０％〜１００％である場合、あらゆる構成を含む第１ユーザ・インターフェースを表示することができる。また、フレキシブルディスプレイ装置１００は、露出された画面領域の大きさが、全体画面領域の４０％〜７０％である場合、第１ユーザ・インターフェースから一部客体が削除された第２ユーザ・インターフェースを表示することができる。また、フレキシブルディスプレイ装置１００は、露出された画面領域の大きさが、全体画面領域の２０％〜４０％である場合、第２ユーザ・インターフェースから一部客体が削除された第３ユーザ・インターフェースを表示することができる。
【００７７】
また、前述のところでは、フレキシブルディスプレイ装置１００は、露出された画面領域の大きさに対応するユーザ・インターフェースを生成すると説明したが、それに制限されるものではなく、フレキシブルディスプレイ装置１００は、露出された画面領域の大きさに対応するユーザ・インターフェースをサーバに要請し、サーバから露出された画面領域の大きさによって、差別化されたユーザ・インターフェースを受信して表示することもできる。
【００７８】
段階Ｓ１２０８は、露出領域の大きさが変化したか否かということを判断する段階である。フレキシブルディスプレイ装置１００で、ディスプレイ基板の折り曲げられた程度が連続して変化し、その場合、フレキシブルディスプレイ装置１００は、露出された画面領域を連続して感知し、露出された画面領域が変更されたか否かということを判断することができる。
【００７９】
段階Ｓ１２１０は、ユーザ・インターフェースを変更して表示する段階である。段階Ｓ１２１０で、フレキシブルディスプレイ装置１００は、露出された画面領域の大きさによって、ユーザ・インターフェースを拡大または縮小して表示することができる。また、フレキシブルディスプレイ装置１００は、露出された画面領域の大きさによって、異なるユーザ・インターフェースを表示することができる。
【００８０】
以下、図１３を参照し、本発明の一実施形態による、ネットワークを介してユーザ・インターフェースを提供するシステムについて説明する。
【００８１】
図１３は、本発明の一実施形態による、ネットワークを介したユーザ・インターフェース提供システムの全体構成図である。
【００８２】
図１３に図示されているように、一実施形態による、ネットワークを介したユーザ・インターフェース提供システムは、フレキシブルディスプレイ装置１００、ＵＩ提供サーバ２００及びネットワーク３００を含む。フレキシブルディスプレイ装置１００は、ディスプレイ画面が折り曲げられた場合、露出された画面領域の大きさを判断し、判断された画面領域に対応するユーザ・インターフェースを、ＵＩ提供サーバ２００に要請することができる。
【００８３】
その場合、ＵＩ提供サーバ２００は、前述のＵＩ生成部１２０と同様に、露出された画面領域に対応するユーザ・インターフェースを生成することができ、フレキシブルディスプレイ装置１００の要請に応答し、要請受けたユーザ・インターフェースを、フレキシブルディスプレイ装置１００に提供することができる。例えば、サーバ２００は、露出された画面領域の大きさによって、ＰＣ用インターネット・ナビゲータを、フレキシブルディスプレイ装置１００に提供したり、あるいはモバイル用インターネット・ナビゲータ５２を、フレキシブルディスプレイ装置１００に提供することができる。
【００８４】
また、ＵＩ提供サーバ２００は、露出された画面領域によるユーザ・インターフェースをあらかじめ生成しておくことができ、フレキシブルディスプレイ装置１００からの要請に応答し、あらかじめ生成されたユーザ・インターフェースを提供することもできる。
【００８５】
本発明の一実施形態は、コンピュータによって実行されるプログラム・モジュールのような、コンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュールまたはその他データのような、情報保存のための任意の方法または技術でもって具現された揮発性及び不揮発性、分離型及び非分離型の媒体をいずれも含む。通信媒体は、典型的に、コンピュータ可読命令語、データ構造、プログラム・モジュール、または搬送波のような変調されたデータ信号のその他データ、またはその他送信メカニズムを含み、任意の情報伝達媒体を含む。
【００８６】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、あらゆる面で例示的なものであり、限定的ではないということを理解しなければならない。例えば、単一型と説明されている各構成要素は、分散して実施されもし、同様に、分散していると説明されている構成要素も、結合された形態で実施されもする。
【００８７】
本発明の範囲は、前述の詳細な説明よりは、特許請求の範囲によって示され、特許請求の範囲の意味及び範囲、並びにその均等概念から導き出されるあらゆる変更または変形された形態は、本発明の範囲に含まれるものであると解釈されなければならない。
【符号の説明】
【００８８】
１１０    露出領域判断部
１１０ａ  圧電センサ
１１０ｂ  光センサ
１２０    ＵＩ生成部
１３０    ディスプレイ部
１４０    ＤＢ
１５０    送受信部
１６０    制御部
【図１】
2015504554.tif 000003
【図２】
2015504554.tif 000004
【図３】
2015504554.tif 000005
【図４】
2015504554.tif 000006
【図５】
2015504554.tif 000007
【図６】
2015504554.tif 000008
【図７】
2015504554.tif 000009
【図８】
2015504554.tif 000010
【図９】
2015504554.tif 000011
【図１０】
2015504554.tif 000012
【図１１】
2015504554.tif 000013
【図１２】
2015504554.tif 000014
【図１３】
2015504554.tif 000015
【国際調査報告】
2015504554.tif 000016
2015504554.tif 000017